(57)【要約】【課題】本発明は、介護の現場のみならず、被災地等においても簡易な入浴用の浴槽として用いることができる新規な組み立て式入浴具を提供することを目的とする。【解決手段】  袋部材２と、前記袋部材２内に敷設されて浴槽１０の底板を構成する底板部材３と、前記袋部材２を支持する支持部材４と、を具備してなる組み立て式入浴具１において、前記支持部材４を簾構造とし、前記支持部材４を筒状に変形させて、前記袋部材２の周囲を取り囲むと共に、前記袋部材２の開口部側を、前記支持部材４に対して係止することによって、前記浴槽１０が形成される仕組みとする。【選択図】図１
2016168246.tif 000002
【特許請求の範囲】
【請求項１】
袋部材の開口部を上方に向けた状態で支持することによって、湯や水を投入し得る浴槽が形成されるようになされた組み立て式入浴具であって、
前記袋部材と、
前記袋部材内に敷設されて前記浴槽の底板を構成する底板部材と、
前記袋部材を支持する支持部材と、
を具備してなり、
前記支持部材が、複数の帯板状部材を長さ方向に沿って連結させた簾構造となされ、
前記支持部材を筒状に変形させて、前記袋部材の周囲を取り囲むと共に、前記袋部材の開口部側を、前記支持部材に対して係止することによって、前記浴槽が形成されるようになされたことを特徴とする組み立て式入浴具。
【請求項２】
請求項１に記載の組み立て式入浴具において、
更に、前記支持部材を筒状に変形させた状態を維持するための保持部材を具備してなる組み立て式入浴具。
【請求項３】
請求項１又は２に記載の組み立て式入浴具において、
前記支持部材を構成する帯板状部材が、中空体又は発泡体となされた組み立て式入浴具。
【発明の詳細な説明】
【技術分野】
【０００１】
本発明は、組み立て式の入浴具に関する。
【背景技術】
【０００２】
身障者や高齢者にとって、一般的な入浴設備での入浴は過度の身体的負担を伴うものであり、又、安全面の観点からも介護者を伴うことが好ましいとされている。
【０００３】
しかしながら、被介護者を浴槽へ入れたり、出したりする入浴の介護作業は、介護者にとって非常に大きな労力が要される。
【０００４】
そこで、最近では、被介護者が椅子に腰かけた状態で入浴可能となる組み立て式の入浴具（簡易風呂）が開発されている（例えば、下記特許文献１参照）。
【先行技術文献】
【特許文献】
【０００５】
【特許文献１】特開２００７‐２８３１３３号公報
【発明の概要】
【発明が解決しようとする課題】
【０００６】
前記特許文献１に開示された簡易風呂は、袋体と、四角形の底板と、四本の支柱と、を具備してなり、前記袋体の底部に前記底板を敷設すると共に、前記底板の四隅に前記支柱を立てたうえで、前記底板上に配された椅子に介護者を腰掛けさせ、前記袋部材を前記支柱に沿って引き上げて固定することによって、湯や水を投入し得る浴槽を形成する仕組みとなされている。
【０００７】
しかしながら、係る仕組みとなされた簡易風呂においては、前記袋体に湯や水が投入された際に、湯や水の重みによって、前記袋体や前記支柱に負荷が掛かる。そのため、前記袋体や前記支柱に相当の剛性を付与する必要があり、持ち運びや組み立てに労力を要するものであった。
【０００８】
本発明は前記技術的課題に鑑みて開発されたものであり、介護の現場のみならず、被災地等においても簡易な入浴用の浴槽として用いることができる新規な組み立て式入浴具を提供することを目的とする。
【課題を解決するための手段】
【０００９】
前記技術的課題を解決するために、本発明の組み立て式入浴具は、袋部材の開口部を上方に向けた状態で支持することによって、湯や水を投入し得る浴槽が形成されるようになされた組み立て式入浴具であって、前記袋部材と、前記袋部材内に敷設されて前記浴槽の底板を構成する底板部材と、前記袋部材を支持する支持部材と、を具備してなり、前記支持部材が、複数の帯板状部材を長さ方向に沿って連結させた簾構造となされ、前記支持部材を筒状に変形させて、前記袋部材の周囲を取り囲むと共に、前記袋部材の開口部側を、前記支持部材に対して係止することによって、前記浴槽が形成されるようになされたことを特徴とする（以下、「本発明入浴具」と称する。）。
【００１０】
本発明入浴具においては、更に、前記支持部材を筒状に変形させた状態を維持するための保持部材を具備してなるものが好ましい態様となる。
【００１１】
本発明入浴具においては、前記支持部材を構成する帯板状部材が、中空体又は発泡体となされたものが好ましい態様となる。
【発明の効果】
【００１２】
本発明によれば、介護の現場や被災地等において、簡易的な浴槽を提供することができる。
【図面の簡単な説明】
【００１３】
【図１】図１は、本発明入浴具を一部断面状態で示す斜視図である。
【図２】図２は、支持部材に対する袋部材の係止の別態様を示す斜視図である。
【図３】図３は、保持部材によって、支持部材の筒形状を固定する一態様を示す斜視図である。
【図４】図４（ａ）〜（ｄ）は、本発明入浴具を組み立てながら入浴する手順を示す斜視図である。
【発明を実施するための形態】
【００１４】
以下、本発明の実施形態を、図面を参照しながら説明するが、本発明はこれらの実施形態に限定されるものではない。
【００１５】
＜本発明入浴具１＞
図１に、実施形態に係る本発明入浴具１を示す。この本発明入浴具１は、袋部材２と、底板部材３と、支持部材４と、を具備する。
【００１６】
‐袋部材２‐
前記袋部材２は、ナイロン、ポリエステル、ゴム、或いはスポンジシートなどの柔軟な素材から形成された非透水性の袋体である。
【００１７】
本実施形態において、前記袋部材２は、円筒状の側壁部２１の一端に、円形の底部２２が接続された有底円筒状の全体形状を有する。又、前記側壁部２１における前記底部２２寄りの位置には、前記袋部材２内に通じる排水管２３が設けられており、前記排水管２３には、開閉弁２３１が備えられている。
【００１８】
‐底板部材３‐
前記底板部材３は、前記袋部材２の底部２２とほぼ同径の円形状を有する。前記底板部材３は、一定の緩衝能を有する素材にて形成することが好ましく、本実施形態においては、前記底板部材３の素材につき、ウレタン製のスポンジマットを用いた。
【００１９】
‐支持部材４‐
前記支持部材４は、複数の帯板状部材４１を長さ方向に沿って連結させた簾構造を有する。
【００２０】
本発明においては、前記帯板状部材４１につき、中空構造のプラスチック材を用い、この帯板状部材４１の長さ方向を隣接させて平行に並べた上から、柔軟なプラスチックシートを張り付けることによって、前記支持部材４を作製した。
【００２１】
なお、「簾（すだれ）」とは、細く切りそろえた竹材を木綿糸にて連結させたものを意味するが、本発明における「簾構造」は、隣り合う帯板状部材４１の連結部位に沿って屈曲可能となされ、もって、平板状に展開したり、ロール状に巻いたりできる構造を意味する。
【００２２】
そして、本発明入浴具１は、前記袋部材２内に前記底板部材３を敷設し、前記支持部材４を筒状に変形させて、前記袋部材２の周囲を取り囲むと共に、前記袋部材２の開口部側を、前記支持部材４に対して係止することによって、湯や水を投入し得る浴槽１０が形成される仕組みとなされている。
【００２３】
なお、本実施形態においては、前記支持部材４に対する前記袋部材２の係止は、筒状となされた前記支持部材４の上端において、前記袋部材２の開口端縁部を折り返し、折り返した部分を複数のクリップＫにて挟持することによって行っているが、前記支持部材４に対する前記袋部材２の係止手段は、特に限定されるものではない。
【００２４】
例えば、図２に示すように、前記袋部材２の開口端縁部の複数個所に円環状のハトメＲを取り付けると共に、前記支持部材４に複数の支持棒Ｂを設け、この支持棒Ｂに前記ハトメＲを引っ掛けることによって、前記支持部材４に対する前記袋部材２の係止を行い得るようにしても良い。
【００２５】
又、本実施形態においては、前記支持部材４に対して前記袋部材２を係止することによって、前記支持部材４の筒形状を維持しているが、図３に示すように、前記支持部材４の筒形状の維持をより確実なものとすべく、保持部材５によって、前記支持部材４の筒形状を固定することが好ましい。
【００２６】
図３に示す保持部材５は、面ファスナーを備えたバンドであり、筒状となされた前記支持部材４の外周面に沿って巻き回されることによって、前記支持部材４の筒形状を固定するものである。なお、前記保持部材５は、記支持部材４の筒形状を維持し得るものであればその仕組みや構造は特に限定されるものではなく、例えば、ワイヤ等の索体を巻き回すことによって、前記支持部材４の筒形状を固定するものであっても良い。又、掛け止め式の金具にて、前記支持部材４の筒形状を固定するものであっても良い。
【００２７】
＜本発明入浴具１の使用態様＞
以下、図面を参照しながら、前記本発明入浴具１の使用態様の一例を説明する。前記本発明入浴具１を使用するにあたっては、まず、図４（ａ）に示すように、前記袋部材２内に前記底板部材３を敷設する。この段階において、前記袋部材２の側壁部２１は支持されていないため、自立していない。
【００２８】
次いで、図４（ｂ）に示すように、前記袋部材２内に敷設された前記底板部材３上に入浴者Ｓが乗る。この際、前記底板部材３上に椅子Ｃを置き、係る椅子Ｃに入浴者Ｓが座り得るようにすることが好ましい。
【００２９】
前記底板部材３上に入浴者Ｓが乗った後は、図４（ｃ）に示すように、前記袋部材２の側壁部２１を引き上げ、前記袋部材２の側壁部２１によって入浴者Ｓが囲まれるようにする。
【００３０】
最後に、図４（ｄ）に示すように、前記支持部材４を筒状に変形させて、前記袋部材２の周囲を取り囲むと共に、前記袋部材２の開口部側を、前記支持部材４に対して係止する。
【００３１】
この作業によって、湯や水が投入し得る浴槽１０が形成される。従って、入浴者Ｓは、前記浴槽１０をまたぐことなく、前記浴槽１０に入った状態となる。前記浴槽１０に入った入浴者Ｓは、前記浴槽１０内で身体を洗ったり、湯につかったりできる。
【００３２】
入浴後、前記袋部材２に設けられた排水管２３を通じて、前記袋部材２内に存する湯や水を排出し、前記支持部材４に対する前記袋部材２の係止を解けば、前記浴槽１０が解体されるため、入浴者Ｓは、前記浴槽１０から出る際にも、前記浴槽１０をまたぐ必要が無い。
【００３３】
即ち、前記本発明入浴具１によれば、前記浴槽１０に対する入出時のいずれの場合においても、入浴者Ｓが前記浴槽１０をまたぐ必要が無く、入浴者Ｓが、高齢者や身障者であっても、安全に入浴させることができる。
【００３４】
又、前記袋部材２の側壁部２１を取り囲むようにして前記支持部材４が配されて前記浴槽１０が形成されるため、前記袋部材２内に投入された湯や水の重みを前記支持部材４の内面で受け止めることができる。これより、本発明入浴具１の使用中に、前記袋部材２や前記支持部材４に掛かる負担が小さくなる。
【００３５】
更に、前記本発明入浴具１には、前記浴槽１０が前記支持部材４によって取り囲まれている構造となっているため、前記浴槽１０に投入された湯が冷めにくいという利点も有する。
【００３６】
この浴槽１０の保温効果は、前記支持部材４を構成する帯板状部材４１を中空体又は発泡体とすることで、より一層向上させることができる。
【００３７】
なお、本発明は、その精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００３８】
本発明は、介護の現場や被災地等における簡易な入浴用の浴槽として好適に用いられる。
【符号の説明】
【００３９】
１  本発明入浴具（組み立て式入浴具）
２  袋部材
３  底板部材
４  支持部材
４１  帯板状部材
５  保持部材
１０  浴槽
【図１】
2016168246.tif 000003
【図２】
2016168246.tif 000004
【図３】
2016168246.tif 000005
【図４】
2016168246.tif 000006